(57)【要約】【課題】鍵盤楽器の練習において、１本の指によるタッピング検査では練習効果は現れず、２本の指によるダブルタッピングによって初めて練習効果が現れるが、監督者なしでも複数の指による一定時間内の打鍵数の計測を行うことを可能にする。【解決手段】打鍵を検出する複数の入力装置と、打鍵数を表示する表示装置、および、計測開始信号を合図に、前記入力装置からの信号を受け取り、前もって定めてある一定の時間内の各入力装置ごとの打鍵数を入力ごとに累積し、各鍵の打鍵数と合計の打鍵数をいずれかの打鍵数の変更があるごとに前記表示部に表示する制御部とから構成することにより、監督者なしでも打鍵数を計測を可能にする。【選択図】図１
2013195597.tif 000002
【特許請求の範囲】
【請求項１】
打鍵を検出する複数の入力装置と、打鍵数を表示する表示装置、および、前記入力装置からの信号を受け取り、前もって定めてある一定の時間内の各入力装置ごとの打鍵数を入力のたびに累積し、各鍵の打鍵数と合計の打鍵数をいずれかの打鍵数の変更があるごとに前記表示部に表示する制御装置とからなるタッピングカウンタ装置。
【請求項２】
請求項１において、制御装置ではさらに、計測開始信号を受け取ると、計測開始までの待ち時間を表示装置にカウントダウン表示し、打鍵数の計測中には計測の残り時間を表示装置にカウントダウン表示することを特徴とするタッピングカウンタ装置。
【請求項３】
請求項１もしくは請求項２において、制御装置ではさらに、打鍵数の計測の際に、前もって定められた規則に従った打鍵のみを計測するフィルタ機能を持つことを特徴とするタッピングカウンタ装置。
【発明の詳細な説明】
【技術分野】
【０００１】
本発明は、打鍵された回数を計測し表示するタッピングカウンタに関する。
【背景技術】
【０００２】
従来から、腱鞘炎などの検査のために一定時間内の打鍵数を計測する装置は用いられてきた。しかし、それは一つの指による打鍵数を計測するものである。また、練習効果を測定するためには監督者が開始や終了の合図をし、指定された順序で打鍵されたかをチェックする必要があった。
【０００３】
パソコンなどのキーボードの鍵の打鍵数を計測する特許文献１の装置はあるが、これはキーボード入力の履歴管理に使用することを目的とし、何時間という長期にわたる記録であり、１分程度の短い時間内での打鍵の繰り返しの速さを計測する目的ではなく、さらに打鍵数の表示は即時に行われるものではない。
【先行技術文献】
【特許文献】
【０００４】
【特許文献１】特開平６−３４８３８６
【特許文献２】特開昭６３−８１３９７
【非特許文献】
【０００５】
【非特許文献１】青木他：『高齢者における指の運動機能トレーナビリティの評価』、健康医科学研究助成論文集、pp.21-30(2009.3)
【発明の概要】
【発明が解決しようとする課題】
【０００６】
一定の時間内に、前もって指定された順番で複数の鍵が打鍵されたときの各鍵の打鍵数の計測を、監督者なしでも行なうことを目的とする。
【課題を解決するための手段】
【０００７】
打鍵を検出する複数の入力装置と、打鍵数を表示する表示装置、および、計測開始信号を合図に、前記入力装置からの信号を受け取り、前もって定めてある一定の時間内の各入力装置ごとの打鍵数を入力ごとに累積し、各鍵の打鍵数と合計の打鍵数をいずれかの打鍵数の変更があるごとに前記表示装置に表示する制御装置とから構成することにより、監督者なしでも打鍵数の計測を可能にする。
【発明の効果】
【０００８】
非特許文献１によると、鍵盤楽器の練習において、１本の指によるタッピング検査では練習効果は現れず、２本の指によるダブルタッピングによって初めて練習効果が現れるとあり、複数の入力装置を設けることにより、複数の指の連携による打鍵を計測することができるため、本発明のタッピングカウンタにより複数の指による打鍵数の計測が容易に行えるようになり、練習効果を定量的に見られるようになる。
【図面の簡単な説明】
【０００９】
【図１】本発明の全体の構成を示す図である。
【図２】図１の制御装置における処理の流れを示す流れ図である。
【図３】実施例１
【図４】実施例２
【発明を実施するための形態】
【００１０】
以下、本発明の実施例を図１、図２を用いて詳細に説明する。図１は、本実施例に係るタッピングカウンタの構成を示した図である。同図において１０１は複数の入力装置であり、１０２は制御装置、１０３は表示装置である。
【００１１】
上記した構成において、複数の入力装置は計測しようとする鍵盤であり、機械式スイッチ、ＭＩＤＩ信号を生成する実際の鍵盤楽器、あるいは、タッチスクリーンに表示された鍵盤画像をタッチすることによる入力手段等のいずれでもよく、複数の鍵が鍵盤楽器のように並んで配置されていればよい。表示装置は複数の鍵盤の打鍵数の表示を主として行うものであり、各鍵ごとの打鍵数、それらの合計は表示される必要がある。さらに、被計測者の目安となるように、計測を実際に開始するまでの準備時間、計測中の残り時間をカウントダウンする数値も表示される。制御装置は、装置全体の制御を行うものであり、以下にその詳細を説明する。
【００１２】
図２を使用して制御部の流れを説明するが、その前に用語の定義を簡単に述べる。入力装置は鍵盤楽器の鍵に相当するものであり、ｎ個あるものとし、各鍵は鍵ｉなどと書く。ここで１≦ｉ≦ｎとする。また、値を記憶しておく変数として、鍵ｉの累積打鍵数を表わすのにＣｉを、全打鍵数を表わすのにＴを使用する。
【００１３】
本装置が始動されると、まず、状態２０１になる。ここでは、測定開始の合図を待つが、その信号はどれかの鍵を長く押すなど、測定中には起こらない動作にすることで、状態２０８で測定終了時間になった後での打鍵で次の測定が開始されてしまわないようにする。もちろん、測定開始のための独立した入力装置を使用してもよいが、同じ鍵でも動作を変えることで、開始の合図と測定動作とを区別することができる。
【００１４】
開始の信号を受理すると状態２０２になり、ここでは各変数ＣｉおよびＴの値を０にすることで打鍵数の初期化を行い、状態２０３で各変数、今の場合はすべて０であるが、その値を表示装置に表示する。つぎに、状態２０４では前もって定められた一定の時間待機すると同時に、表示装置に測定開始までの残り時間を表示して、残り時間が０になるまで状態２０４を維持する。この時間は測定開始信号の受理後、すぐに測定を開始せずに被計測者に心構えをさせるためのものであり、たとえば５秒程度の時間とする。待機時間が経過した後は状態２０５に移る。
【００１５】
状態２０５では、計測の残り時間を表示する一方で、被計測者が鍵を押下するのを監視する。ここで、鍵ｉが打鍵されたとする。入力装置が機械式接点であった場合にはここでチャタリング処理を行ってもよい。なお、打鍵があったときに、本装置では複数の鍵を備えていることから、あらかじめ定めた順番通りに打鍵された場合のみカウントされるようなフィルター機能もこの状態２０５において実現している。これは複数のタッピングカウンタを集めただけでは実現できない機能であり、鍵盤楽器の練習効果を測定しようとする場合には有用である。もちろん、打鍵をすべてカウントするにはすべてを通すフィルターとして機能させればよい。鍵ｉがフィルターを通らなかった場合には状態２０５の最初に戻って打鍵を待つことになる。鍵ｉがフィルターを通過したら状態２０６に移行する。
【００１６】
状態２０６では、打鍵されたものが鍵ｉであったとすると、それに対応する変数Ｃｉの値に１を加えて、それを新たなＣｉの値とする。また、すべての打鍵数を表すＴの値にも１を加えて新たなＴの値とする。次に状態２０７においては、表示装置にＴとすべてのＣｉの値を表示する。この際にカウントダウンされている残り時間も表示されているため、被計測者は実時間で打鍵数とともに残り時間を見ることができる。
【００１７】
最後に状態２０８では計測の終了時間に達したかを判断し、まだであれば状態２０５に移行して、次の打鍵を待つことになる。終了時間であれば、そのときの表示を維持したまま状態２０１に移行し、次の測定開始信号を待つことになる。ここで、計測時間は被計測者に疲労がたまる前の時間が望ましく、通常は１５秒から１分程度が適当である。
【００１８】
以上のフローからわかるように測定時間以外に打鍵されたもの、あるいは、順番を規定したフィルターを満たさない打鍵はカウントされないようになっていること、また、残り時間が表示されることによって、時間を計測して合図を送ったり、打鍵順序をチェックする第３者の補助無しに打鍵数の計測が可能である。
【実施例】
【００１９】
図３は入力装置、表示装置、制御装置を１つのケースに組み込んだものであり、測定開始信号としては一番左の鍵を１秒以上押下することにしてある。各入力装置は機械式接点になっており、チャタリングの除去は制御装置でソフトウェアで実現している。
【００２０】
図４は、入力装置としてＭＩＤＩ鍵盤楽器を使用するもので、図にあるのは表示装置と制御装置でありＭＩＤＩ鍵盤はケーブルの先に接続されている。ＭＩＤＩ楽器は鍵盤の押下時と開放時に信号が出力されるため、計測開始信号としては押下と開放の時間が１秒以上のときとし、打鍵数の計即時には押下の信号を打鍵として計測している。
【００２１】
また、図はないが、タッチセンサを備えた携帯端末やゲーム機を使用することで、画面に鍵盤を模した画像を表示して、その位置をタッチしたことを打鍵として処理することで、本発明を実現することもできる。この際には鍵盤の画像と本発明における表示装置とが端末装置の１つの画面に表示されることになる。
【産業上の利用可能性】
【００２２】
本発明により、複数の指の連携による打鍵数の計測が監督者なしでも行えることで、鍵盤楽器の練習効果を身近に測定することが可能になると、ピアノ教室での練習効果や高齢者、障害者のリハビリの進捗状況の測定に適用することができる。
【符号の説明】
【００２３】
１０１  複数の入力装置
１０２  制御装置
１０３  表示装置
【図１】
2013195597.tif 000003
【図２】
2013195597.tif 000004
【図３】
2013195597.tif 000005
【図４】
2013195597.tif 000006